(57)【特許請求の範囲】
【請求項１】
行及び列に配列されたピクセルのアクティブマトリックス（１）を含む表示スクリーンであって、前記アクティブマトリックス（１）は、各ピクセルに関連付けられる制御トランジスタ（Ｔｐ）を含み、前記スクリーンは、前記ピクセルの前記制御トランジスタを駆動する信号を与える表示制御回路（２）を含む、表示スクリーンにおいて、
−  温度測定値（Ｔ）を与えるための手段（１０１）、
−  前記温度測定値に関連付けられる数値コードを出力として与えるプログラマブル回路（１００）、及び
−  前記表示制御回路に給電する第１電圧（ＶＧＯＮ）及び第２電圧（ＶＧＯＦＦ）を与えて、それぞれ、スイッチオン電圧及びスイッチオフ電圧を前記ピクセルの前記制御トランジスタ（Ｔｐ）に加えることを可能にする回路であって、前記数値コードを受け取り、かつ、前記コードの数値の関数として前記第１及び第２電圧を供給し、前記プログラマブル回路により与えられる前記数値コードは、温度が低下すると、規定される前記数値コードが前記第１及び前記第２電圧の上昇をもたらし、かつ、それらの差異（ＶＧＯＮ−ＶＧＯＦＦ）の増大ももたらすようなものである、回路
を含むことを特徴とする表示スクリーン。
【請求項２】
請求項１に記載の表示スクリーンにおいて、前記温度が上昇すると、規定される前記数値コードが前記第１及び前記第２電圧の低下をもたらし、かつ、それらの差異（ＶＧＯＮ−ＶＧＯＦＦ）の低減ももたらすことを特徴とする表示スクリーン。
【請求項３】
請求項１に記載の表示スクリーンであって、少なくとも１つのグレーレベルスケールを規定するガンマ基準電圧（Ｖγ１、Ｖγｚ）を与える回路（３２）を含む表示スクリーンにおいて、前記数値コード（コード）が前記ガンマ基準電圧を設定する数値を含むことを特徴とする表示スクリーン。
【請求項４】
請求項１又は２に記載の表示スクリーンであって、液晶又は発光ダイオードスクリーンである表示スクリーン。
【請求項５】
請求項１又は２に記載の表示スクリーンであって、液晶型である表示スクリーンにおいて、前記数値コードが前記ピクセルの対電極（ＣＥ）のバイアス電圧を設定する数値を含むことを特徴とする表示スクリーン。
【請求項６】
請求項１〜４のいずれか一項に記載の表示スクリーンであって、前記表示スクリーンの前記トランジスタにより受け取られる光度（Ｌ）を測定するための手段（１０２）を含むことと、前記数値コードが、それぞれ、前記温度測定値（Ｔ）及び前記手段（１０２）により測定された光度（Ｌ）に対応する温度区間及び光度区間について規定されることとを特徴とする表示スクリーン。
【請求項７】
請求項１〜５のいずれか一項に記載の表示スクリーンであって、前記プログラマブル回路（１００）が、複数の数値コードであって、それぞれが所与の温度区間に関連付けられる複数の数値コードを含む記憶回路であり、前記スクリーンが、前記温度測定値に対応する前記数値コードを選択するための手段を含む、表示スクリーン。
【請求項８】
請求項６に記載の表示スクリーンであって、前記プログラマブル回路（１００）が、複数の数値コードであって、それぞれが決定された温度区間及び光度区間に関連付けられる複数の数値コードを含む記憶回路であり、前記スクリーンが、前記温度測定値（Ｔ）及び光度測定値（Ｌ）に対応する前記数値コードを選択するための手段を含む、表示スクリーン。
【発明の詳細な説明】
【技術分野】
【０００１】
本発明は、薄膜電解効果トランジスタによるアクティブマトリックススクリーンに関する。本発明は、特に液晶スクリーン（ＬＣＤスクリーン）及び有機発光ダイオードスクリーン（ＯＬＥＤ又はＡＭＯＬＥＤスクリーン）に適用される。
【背景技術】
【０００２】
アクティブマトリックススクリーンは、トランジスタ及び蓄電コンデンサによる回路がマトリックスの各ピクセルに関連付けられ、やはりトランジスタベースの表示制御回路が各ピクセルを個別に駆動することを可能にする、スクリーンであることが理解されるべきである。実際には、マトリックスの行、列及び共通電極のアドレスを指定する複数の回路を含むこの表示制御回路は、一般的にアクティブマトリックス領域周辺の同一基板上に集積される回路である。
【０００３】
これらのスクリーンで使用されているトランジスタは、アモルファスシリコンベースの電界効果トランジスタであり、いわゆる薄膜技術に基づいている。これらのトランジスタの伝導特性は、実際の動作条件によって著しく変化することがある。
【０００４】
特に、アモルファスシリコン中の電荷担体の可動度は、温度とともに変化する。現在の技術では、それは、したがって−４０℃における０．１ｃｍ２／Ｖ／ｓから７０℃における０．７５ｃｍ２／Ｖ／ｓまで変化する。また、トランジスタの漏洩電流は、これらのトランジスタの受ける光にとともに増加する傾向がある。これらの現象は液晶スクリーンの場合に著しく、液晶バックライト照射光源により供給される光のレベルに比例する。この強度は、実際には周囲の光度状態（昼間又は夜間環境）に従って変化する。
【０００５】
一部の応用、特に輸送分野（航空電子機器、動力車両、船舶）では、これらのスクリーンは、非常に変動する条件において表示品質の著しい劣化なしに作動可能でなければならない。特に、これらのスクリーンは、たとえば航空電子機器応用分野ではマイナス４０℃〜プラス７０℃に達し得る広い温度範囲にわたり作動可能でなければなない。
【０００６】
これらの変動する厳しい動作条件は、トランジスタの伝導パラメータの変化に反映される。たとえば、高い温度における数百時間の長期間の動作後、トランジスタのスレッショルド電圧は一時的に高くなる。続いて温度が低下したとすると、担体の可動度も低下するが、その時点におけるトランジスタのスレッショルド電圧は、前に経験した高い温度により上昇した高い値のままである。
【０００７】
また、オン状態及びオフ状態において、トランジスタの直前の伝導状態に関係なく、これらのトランジスタを確実に制御できるようにするために、通常必要な値より大きい幾何学的形状（トランジスタチャネルにおける幅の長さに対する比）を有するように設計されたトランジスタが使用される。これらのトランジスタは、オーバーディメンショントランジスタと呼ばれる。
【０００８】
トランジスタのオーバーディメンション化は、同様に大きい値を有する関連結合コンデンサ及び補償コンデンサと、これらの要素を制御するためにより高い電源電圧との使用を必要とする。したがって、航空電子機器の分野では、電源電圧は約＋３３ボルトであり、また、ピクセルコンデンサを制御する最大電圧振幅も同程度である。
【０００９】
構成要素のオーバーディメンション化は、多数の不利益をもたらす。
【００１０】
製造に影響を及ぼす側面に関しては、オーバーディメンション化は、表面面積の増大、したがってパネルの周辺におけるドライバー回路の体積の増大に反映され、また、この表面積増大に見合う製造欠陥の危険も増大する。
【００１１】
作動状態に関しては、温度範囲全体を通じてこれらのドライバー回路の出力状態の安定化が非常に難しくなる。実際に、これらの出力は、温度の上昇につれて振動する。これは、漏洩電流の増大、十分に短い時間内に大容量のコンデンサに充電するために必要な大電流要求、高電圧印加によるスレッショルド電圧の急速なドリフトにより説明される。
【００１２】
これらの振動は、表示される画像上にはっきり分かるフリッカーをもたらし、表示の「美観的」品質を損なうことがある。
【００１３】
製造過程においてトランジスタのスレッショルド電圧を意図的に低下させることにより、これらの振動を低減する方法が知られている。しかしながら、完全に制御された手法によりそれを行う方法は知られていない。さらに、これらの劣化技法は、トランジスタ、ひいてはスクリーンの寿命を縮める。
【００１４】
最後に、これらのスクリーンは、使用する電源及び制御電圧のレベルのために消耗が早い。
【発明の概要】
【発明が解決しようとする課題】
【００１５】
本発明の課題は、広い温度範囲で機能を果たす低コストかつ低消費電力のアクティブマトリックススクリーンの提案を可能にする代替技術である。
【課題を解決するための手段】
【００１６】
本発明が基礎とする１つの着想は、標準サイズのトランジスタを維持し、これらのトランジスタ、より具体的にはピクセル行選択回路のトランジスタを制御する電源電圧を温度に応じて適応させることである。
【００１７】
低温の際にこれらの電圧を高めることにより、最も不利なトランジスタ伝導状態が補償される。高温の際にこれらの電圧を下げることにより、反対により有利な伝導状態を活用することができ、かつ、トランジスタのゲート電圧値に大きく依存するスレッショルド電圧ドリフトが低減される。すべての場合において、漏洩電流は最少化され、したがって最適化される。全体的に見て、温度に従って行う電圧のこの適合化により、スクリーンにより消費される電力も有利に低減される。
【００１８】
本発明は、したがって、行及び列に配列されたピクセルのアクティブマトリックスを含む表示スクリーンであって、このアクティブマトリックスは、各ピクセルに関連付けられる制御トランジスタを含み、このスクリーンは、ピクセルの制御レジスタを駆動する信号を与える表示制御回路を含む、表示スクリーンにおいて、
−  温度測定値を与えるための手段、
−  温度測定値に関連付けられる数値コードを出力として与えるプログラマブル回路、及び
−  表示制御回路に給電する第１電圧及び第２電圧を与えて、それぞれ、スイッチオン電圧及びスイッチオフ電圧をピクセルの制御トランジスタに加えることを可能にする回路であって、数値コードを受け取り、かつ、このコードの数値の関数として第１及び第２電圧を供給する、回路
を含むことを特徴とする表示スクリーンに関する。
【００１９】
温度が低下すると、規定される数値コードが第１及び第２アナログ電圧の上昇及びそれらの差異の増大ももたらす。
【００２０】
温度が上昇すると、規定される数値コードが第１及び第２アナログ電圧の低下及びそれらの差異の低減ももたらす。
【００２１】
数値コードは、少なくとも１つのグレースケールを規定するガンマ基準電圧を設定する数値を含み得る。
【００２２】
提案する種々の実施例において、プログラマブル回路は、それぞれ、所定の温度区間について規定される複数のコードを含む記憶回路により実現することができる。
【００２３】
測定された温度に関してプログラマブル回路により所定の計算機能に従って計算されるコードを規定することもできる。
【００２４】
一変形形態では、コードが温度のみならず、制御トランジスタにより受け取られる光度レベルの関数として規定又は計算される構成を有利に採用することができる。
【００２５】
以下の詳細な説明及び添付図面において本発明のその他の特徴及び利点を示す。
【図面の簡単な説明】
【００２６】
【図１】先行技術による液晶ピクセルのアクティブマトリックス及びその周辺表示制御回路のブロック図である。
【図２】行の走査を行うアドレス指定モード及びフレーム反転モードにおける選択信号及びデータ信号を表すタイミング図である。
【図３】表示されるグレーレベルをコード化するデータの関数として列に加えられるアナログ電圧を与える回路の典型的応答を示す。
【図４】アクティブマトリックススクリーンの表示制御回路のために１つ以上の電源電圧を規定するコードを動作温度範囲の各温度区間に割り当てる本発明の原理を示す。
【図５】本発明による表示制御回路のトランジスタの電源電圧の適合化を示すブロック図である。
【図６】液晶スクリーンに応用される本発明の精緻化において、アドレス指定及び表示のために必要な種々の電圧の適合化を示すブロック図である。
【発明を実施するための形態】
【００２７】
本発明についてアクティブマトリックス液晶（ＬＣＤ）表示スクリーンに対する典型的応用により説明する。
【００２８】
図１は、かかるＬＣＤ表示スクリーンの主要な要素を概略的に示し、また、図２及び図３は、ピクセルのアドレス指定及びグレーレベル表示制御の原理を示している。
【００２９】
スクリーンは、ピクセルｐｘのアクティブマトリックス１を含んでいる。各ピクセルは、制御トランジスタＴｐに関連付けられ、かつ、このピクセルに固有の電極Ｅｐと１個のピクセル、ピクセルの１つのグループ、又は全ピクセルに共通の対電極ＣＥの間に液晶を含んでいる。スクリーンは表示制御回路２も含んでおり、この回路はピクセルのトランジスタＴｐ及び対電極を駆動して、各表示フレームのピクセルコンデンサの端子ＥｐとＣＥの間に加えられるピクセル電圧Ｖｐｘの制御を可能にする。スクリーンは、さらに液晶のバックライト照射光を与えるライトボックスＢＡＬを含んでいる。
【００３０】
ピクセルのマトリックスは、それぞれｍ個のピクセルを含むｎ個の行Ｌ１〜Ｌｎ及びそれぞれｎ個のピクセルを含むｍ個の列Ｃ１〜Ｃｍを含んでいる。同一ピクセル行におけるトランジスタＴｐのゲート電極は、行導体Ｌ１、．．．Ｌｍに共通に接続されており、また、同一ピクセル列のトランジスタＴｐのソース又はドレイン伝導電極は、列導体Ｃ１、．．．Ｃｍに共通に接続されている一方、他の電極は、関連ピクセルｐｘのピクセル電極Ｅｐに接続されている。ピクセルの対電極は、バイアス電圧ＶＣＥを受け取る。
【００３１】
マトリックスのピクセル上のグレーレベルの表示は、以下を含む：ピクセル行Ｌｉ選択時間（この行のピクセルのそれぞれのトランジスタＴｐのスイッチオンを制御する行Ｌｉ導体に対する電圧の印加及び列導体Ｃｊに対するピクセルにより表示されるグレーレベルに対応する列電圧ＶＧｊの印加による）；ピクセルコンデンサの端子のピクセル電圧を立ち上げる時間；液晶端子におけるピクセル電圧レベル（差ＶＧｊ−ＶＣＥの絶対値）に応じて多かれ少なかれ光の通過を許容する液晶をライトボックスが照射する表示時間。
【００３２】
この表示は、特にシーケンス回路２０を含む表示制御回路２により制御される。このシーケンス回路は、行Ｌ１〜Ｌｎのアドレス指定を行うための列回路２１、列Ｃ１〜Ｃｍ上の電圧を制御する回路２２及び対電極ＣＥを制御する回路２３の同期動作を保証する。このシーケンス回路は、バッファメモリ２４に蓄えられているデジタルデータからの画像の表示をフレーム周波数で制御することを可能にする。
【００３３】
ピクセルアドレス指定及びその順序付けの方法がいくつかある。十分に想定される状況において本発明による電源電圧の適合化を説明するために、極めて標準的なピクセルアドレス指定及び順序付けの方法を選択して図１〜３に提示した。当業者は、以下に示される情報を必要に応じて適合するか又は外挿することにより本発明を別の方法で適用できるであろう。
【００３４】
行アドレス指定回路２１は、通常、制御されるマトリックスの行Ｌ１〜Ｌｎと同数の出力段を有するシフトレジスタである。これらの出力段は、電圧スイッチングトランジスタＴｃを含んでいる。これらの回路は、広く知られており、技術文献に記述されている。
【００３５】
列制御回路２２は、主として、新しく選択された各行Ｌｉについて、バッファメモリ２４により供給されたグレーレベルをコード化しているデータＤａｔａ、Ｄａｔａ＿Ｉ（図３）の関数として列Ｃ１〜Ｃｍに加えられる列電圧ＶＧ１〜ＶＧｍを供給するための変換器を含んでいる。回路２２は、変換器の入力ＩＮ−ＤＡＣをこれらのデータにより行周波数で駆動するため、及び変換器の出力ＯＵＴ−ＤＡＣの電圧ＶＧ１〜ＶＧｍを列に転送するために必要な回路（図示せず）を含んでいる。
【００３６】
図１に示したように、この変換は、周知のごとく、ピクセルの電気光学応答の非直線性を補正するガンマ補正と呼ばれる補正を含んでいる。この補正は、液晶スクリーンに特有ではないことに留意すべきである。それは、ＯＬＥＤスクリーンについても有効である。在来の補正方法は、抵抗網及びこの網のノードに適切に加えられるガンマ基準アナログ電圧Ｖγ１〜Ｖγｚを使用する。この場合、変換器は、Ｒ−ＤＡＣ変換器と呼ばれる。ガンマ基準電圧は、各スクリーンについて、スクリーンの特性の関数として規定され、したがって白から黒までにわたるｚグレーレベルのスケールを規定する。スクリーンがカラースクリーン（カラーフィルター付き、又はフィルターを使用しないが、種々のカラーで連続的にスクリーンを照射できるライトボックス付き）である場合、一般的に、各カラーについて異なるガンマ補正が適用される。また、ガンマ基準電圧Ｖγ１〜Ｖγｚは、それら自体が、通常の場合、デジタルアナログ変換器を有する回路２２−γにより供給される。これは、スクリーンについて、及び必要に応じて、各カラーについて規定される数値に基づいて供給される。これらの数値は、１つ以上のグレースケールを規定するものであり、プログラマブルメモリ回路２５（図１）に格納される。
【００３７】
図２において概略的に示したように、アドレス指定回路２１は、それぞれの新しいフレームについて、各行を次々に選択することを可能にする（行の連続的スキャニング）。行選択時間全体にわたり、列制御回路は、バッファメモリデータから列に対応電圧ＶＧ１〜ＶＧｍを供給して、選択された行のピクセルに加えられるグレーレベルを制御する。
【００３８】
液晶スクリーンについて、スクリーンのマーキングを防止するために液晶の端子に加えられる電圧のバイアスを周期的に反転する必要があることも指摘しなければならない。反転を行う種々の実施形態及び技術が広く知られている：フレーム反転、行反転、列反転、又は点反転。図２に関して示した例では、フレーム反転方法が示されている。偶数フレームでは、プラスのバイアスが加えられ、奇数のフレームでは、マイナスのバイアスが加えられる。このバイアス反転は、よく知られている種々の技法に従って行うことができる。図１〜３に関して示した例では、これは、追加コーディングビットを使用することにより、数値データ、それぞれ、プラス表示のＤａｔａ及びマイナス表示のＤａｔａ＿Ｉを印加することにより行われており、一方、ＲＤＡＣ変換器は、対応する列電圧を、合成されるガンマ補正、奇数フレームのＶＧ１〜ＶＧ８及び偶数フレームのＶＧ９〜ＶＧ１６とともに供給している。一般的に、ＶＧ１及びＶＧ１６は、それぞれ、−６ボルト及び＋６ボルトである。この実施例では、図２及び図３に示すように対電極電圧レベルＶＣＥは連続的であり、かつ、２つの範囲ＶＧ１〜ＶＧ８及びＶＧ９〜ＶＧ１６間のほぼ中点に対応する。
【００３９】
このアドレス指定方法では、それぞれの新しい表示フレームについて、行導体は、次のように、行選択時間と呼ばれる時間の間、行アドレス指定回路２２から選択パルスを受け取る：
−  この行選択時間中に、行導体は、行のトランジスタＴｐのためのスイッチオン電圧ＶＨを受け取り、かつ、
−  この行選択時間外に、行導体は、行のトランジスタＴｐをスイッチオフすることを可能にする電圧ＶＬを受け取る。
【００４０】
ピクセルトランジスタＴｐのためのスイッチオン電圧ＶＨは、制御トランジスタＴｃのスレッショルド電圧の範囲まで、回路２２の第１電源電圧ＧＶＯＮ（それはプラス電圧に対応する）に対応する。
【００４１】
ピクセルトランジスタＴｐのスイッチオフ電圧ＶＬは、回路２２の第２電源電圧ＶＧＯＦＦ（マイナス又はゼロ）にほぼ対応する。
【００４２】
各フレームについて、行アドレス指定回路２１（ｎ段のシフトレジスタ）は、次々にマトリックスの行を行周波数でアドレス指定する。行のアドレス指定（選択）中、列制御回路２２は、選択された行のピクセル上に表示される情報Ｄａｔａ又はＤａｔａ＿Ｉを変換器Ｒ−ＤＡＣの入力ＩＮ−ＤＡＣにおいて受け取る。変換器Ｒ−ＤＡＣは、供給されたガンマ基準電圧Ｖγ１〜Ｖγｚを参照して出力ＯＵＴＤＡＣにアナログ電圧ＶＧ１〜ＶＧｍを出力する。このアナログ電圧は、列導体Ｃ１…Ｃｍに印加される。この例示実施形態では、対電極バイアス電圧ＶＣＥが連続であることが分かっている。そのレベルは、電圧オフセットを考慮して設定される。このオフセットは、各ピクセルとその関連行の間に、この行の除外の瞬間に事実上存在する静電結合により誘起されるオフセットである。ピクセルコンデンサの端子の絶対電圧値を同じグレーレベルのときに偶数及び奇数フレームについて同一とするために、対電極電圧はオフセットの値だけシフトされ、すべてのピクセルにわたる全般的補償を確実にする。オフセットの値はグレーレベルの関数（すなわち、除外の瞬間にこの列に加えられる電圧の関数）として可変であるため、第２オフセット補償レベルがガンマ電圧基準電圧の規定値に組み込まれ、それによりグレーレベルのスケールが確定される。
【００４３】
アクティブマトリックスＬＣＤスクリーンの制御に関して示したこれらの要約に関連するが、本発明は、主として、温度測定値の関数として電源電圧ＶＧＯＮとＶＧＯＦＦ及びそれらの差異ＶＧＯＮ−ＶＧＯＦＦを設定し、それにより、図２に示すようにマトリックスのそれぞれの行に行選択信号を供給する回路２１の高インピーダンススイッチングにおいて使用されるトランジスタＴｃの制御を最適化すること（選択時間中の高電圧レベルＶＨ＝ＶＧＯＮ−Ｖｔｐ及びその他における低電圧レベルＶＬ＝ＶＧＯＦＦとする）、及び、ピクセル制御トランジスタＴｐの制御を最適化して行選択時間中にピクセルコンデンサを表示されるグレーレベルに対応する列電圧レベルに最適に充電し、かつ、それを損失なし（漏洩電流の最少化）に維持すること可能にすることにある。
【００４４】
この適合化は、より具体的には次のように行われる：
−  最低温度において、より高いＧＶＯＮ及びＶＧＯＦＦ電圧及び差異ＶＧＯＮ−ＶＧＯＦＦ（やはりより高い）の印加（トランジスタＴｃのゲート電極とドレイン又はソース電極の間に加えられる）により、トランジスタの伝導の劣化を阻止すること：したがって、より不利なトランジスタ伝導状態（可動性が低下し、よって同じバイアスの下で電流が低下する）が補償される。トランジスタの漏洩電流の低減を活用して列電圧に対比して電圧ＶＧＯＦＦを高める。低い温度では、漏洩電流を低減するためにピクセルトランジスタ（Ｔｐ）のゲートにマイナスのバイアスを強く加える必要はない。低温では、トランジスタの性能レベル（スレッショルド電圧）のドリフトが少ないため、この補償動作は一層良く機能し、より高い電源電圧が十分に維持される。
−  最高温度では、なんら性能低下プロセスを推進することなく、より低い電源電圧ＧＶＯＮ及びＶＧＯＦＦ及び差異ＶＧＯＮ−ＶＧＯＦＦ（やはりより低い）の印加により、反対により有利な伝導状態から利益を得ること：スレッショルド電圧のドリフトは、これらのレベル低下とともにより緩やかとなる。さらに、電圧ＶＧＯＦＦが低減された場合、漏洩電流も低減し、それによりこれらの漏洩電流に対する光の影響も無視できる程度となる。最後に、電圧の低減のために、制御回路の不安定性の影響も限定されるか又は皆無となる。
【００４５】
すべての場合において、漏洩電流は最少化される。全体として、温度測定値の関数として電圧のこの適合化により、スクリーンにより消費される電力も、特に高温において著しく有利に低減される。
【００４６】
実際的な一例を挙げる。列に加えられる電圧が０〜±６ボルトで変化し（図３）、かつ、スクリーンのＤＣ電源電圧はＶＤＤ＝３３ボルトであると仮定する。
【００４７】
先行技術により、ＶＧＯＮ及びＶＧＯＦＦのレベル及びそれらのレベル差ＶＧＯＮ−ＶＧＯＦＦは、以下のように設定される：
−  温度に関係なく選択行上のＶＧＯＮレベルを可能な限り小さい損失でスイッチングする；
−  低温において、選択されたピクセルの制御トランジスタＴｐの伝導を高めるようにＶＧＯＮを最適化する；
−  高温において、トランジスタＴｐの漏洩電流を最少化することによりＶＧＯＦＦを最適化してスイッチングオフを確実にする。
【００４８】
実際には、ＶＧＯＦＦ＝−１１及びＶＧＯＮ＝２２を選択して、振幅ＶＧＯＮ−ＶＧＯＦＦ＝３３ボルト（ＶＤＤ）とする。
【００４９】
本発明に従って、２つの対立する温度区間のみを考慮することにより、低温においてＶＧＯＦＦ＝−９ボルト及びＶＧＯＮ＝２４を適用して、振幅ＶＧＯＮ−ＶＧＯＦＦ＝３３ボルト（ＶＤＤ）とする。これを行うことにより、伝導は高められ、トランジスタの漏洩電流は必然的に低減する。
【００５０】
高温においてＶＧＯＦＦ＝−１１ボルト及びＶＧＯＮ＝１１を適用して、振幅ＶＧＯＮ−ＶＧＯＦＦ＝２２ボルト（ＶＤＤ）とする。ここで良好な伝導状態を活用してプラス電圧振幅及びレベルを低減し、かつ、より大きいマイナスの電圧ＶＧＯＦＦにより漏洩電流を最少化する。消費も低減される。
【００５１】
この適合化により、標準形状のトランジスタ、すなわち、より普通の環境における応用を意図しているスクリーンで使用されるトランジスタと変わらないものを使用することが可能になる。
【００５２】
したがって、本発明の実用的実施例は、図４において概略的に示されているように、スクリーンの動作温度範囲［Ｔｍｉｎ〜Ｔｍａｘ］のｋ個の温度区間への分割を含む。各区間について、電源電圧又は電圧を規定する数値コードＣ１、Ｃ２、．．．Ｃｋが決定される。好ましい実施形態では、各区間の幅は等しい。たとえば、−４０℃〜＋７０℃の範囲は、幅５°のｋ＝２２個の区間に分割でき、そしてこれらの区間のそれぞれについて、この区間におけるトランジスタの伝導特性に適する電源電圧ＶＧＯＮ及びＶＧＯＦＦを規定する関連数値コードを決定することができる。所与のスクリーン（技術／形態）について、これらの特性は、製造工程を離れるときに測定するか、又は計算機能により決定することができる。
【００５３】
実際的な実施例（図４）において、これらのコードは、プログラマブルメモリ回路、一般的にＥＥＰＲＯＭ（電気的消去可能かつプログラム可能）型のメモリにおいて決定され、かつ、記憶される。温度測定値は、このメモリに対するポインタとしての役割を果たし、対応するコードの選択を可能にする。このコードは、電源電圧を供給する回路３０に加えられる数値を与える。より具体的には、温度測定値は数値に変換され、次にスレッショルド比較器が、出力として、対応温度区間に対応する値を与える。この値は、メモリに含まれている対応するコードへのアドレスポインタとしての役割を果たす。
【００５４】
別の実施例においては、関連スクリーンに関して規定される計算機能を用いて温度測定値対応のコードがプログラマブル回路により計算される。
【００５５】
温度センサ１０１により測定される温度測定値Ｔは、関連変換器１０１−Ｎにより数値形式で与えられる。このセンサは、実際には、表示制御回路２の近くに組み込まれる金属又は半導体ベースの電気センサであり、トランジスタの周囲温度の信頼できる測定値を与える。この測定値は、プログラマブル回路１００により与えられる対応するコードを有している。この測定値は回路１００に記憶され、次にこの値がメモリアドレスをポイントすることを可能にするか（たとえば、図４のｋ個の温度区間から対応する温度区間のランクを決定することを可能にするスレッショルド比較器経由）、又はそれは温度測定値から回路１００により計算される。
【００５６】
実際には、各温度区間において、ＶＧＯＮの値及びＶＧＯＦＦの値を規定することが好ましいことが分かっている。コードは、たとえば、電圧ＶＧＯＮ及びＶＧＯＦＦを与えるそれぞれのアナログ電圧生成回路（デジタル−アナログ変換器及び増幅器を有する）に加えられる一連の２つのコード化数値を含むことができる。ここで各コード化数値は、各電圧に対応している。これらの値は、たとえば、１０ビットでコード化される。
【００５７】
表示の美観的品質に貢献するガンマ補正側面を考慮する精緻化においては、ｋ個の温度区間のそれぞれについて、電源電圧ＶＧＯＮ及びＶＧＯＦＦのみならず、グレースケールを規定するガンマ基準電圧も規定する構成が設けられる。たとえば、ピクセルに表示されるカラーの関数として多数のグレースケールがスクリーンの制御のために用意される場合、コードは種々のグレースケールのガンマ電圧基準を規定する。
【００５８】
より一般的には、表示の制御のために使用される種々の電源電圧又は基準電圧をコードが規定する構成が設けられる。
【００５９】
図１〜３に関して説明した液晶スクリーン及びアドレス指定モードの例に戻る。数値コードが各温度区間の電圧ＶＧＯＮ及びＶＧＯＦＦ、ガンマ基準電圧、及び対電極バイアス電圧を規定する構成が設けられる。この方法では、表示の制御及び品質は、温度の関数として最適化される。
【００６０】
特に、行除外の瞬間における静電結合により誘起されるオフセットは差異ＶＧＯＮ−ＶＧＯＦＦの関数であることが分かっている。したがって、ＶＧＯＮ−ＶＧＯＦＦが変化した場合、良好な補償、ひいては表示の品質を維持するために、対電極バイアス電圧ＶＣＥの設定を変更することが好ましい。したがってガンマ基準電圧の設定も適合させることが必要である。なぜならば、オフセットがグレーレベルに従って変化することが分かっているからである。
【００６１】
たとえば、グレーレベルのスケールがｚ＝１９ガンマ基準電圧により規定される場合、したがってコードは、一連の２２個の電圧値により形成することができる。これらは、それぞれ、対応するアナログ電圧生成回路に加えられる。
【００６２】
その他のアドレス指定方法及び制御方法もあることが分かっている。たとえば、反転方法は、より高い正レベルとより低い負レベルの間の対電極バイアス電圧を変更することにより、別の方法で行うことができる。反転の適用は、次に温度による対電極バイアス電圧オフセットの設定に反映される。
【００６３】
より一般的に、当業者は、関連スクリーンにおいて使用される制御電圧に従い、ピクセルの種類（液晶、ＯＬＥＤ）、アドレス指定方法、カラーディスプレイ又は白黒ディスプレイなどの関数として、種々の温度区間についてスクリーンを制御するために必要な電源電圧値又は基準電圧値を決定することにより本発明を適用する。
【００６４】
１つの精緻化においては、スクリーンのトランジスタにより受け取られる光も考慮する構成が採用される。事実、トランジスタの漏洩電流は、トランジスタにより受け取られる光の強度とともに増加することが分かっている。この強度は、変化することがある。特に液晶の場合、ライトボックスのバックライト照射の光強度は、環境が日中環境であるか（最高強度）又は夜間環境であるか（最低強度）によって変化する。トランジスタの光に対する感度のこの問題は、ピクセルの制御トランジスタＴｐ（光の直射野に置かれている）及び表示制御回路の制御トランジスタＴｃ（誘導効果及び多数回反射により光を受ける）に同様に関係する。
【００６５】
したがって、スイッチングオフを容易にするため、ひいては強力な光度（強い光度レベル）の場合に漏洩電流の可能性を最少にするために電圧レベル、より具体的にはＶＧＯＦＦレベルを適合させることが有利である。
【００６６】
コードが規定されてプログラマブル回路１００に蓄積され、次に温度の場合と同様に、光度区間が設定される典型的な実施例に戻る。回路１００は、２つの入力を有するテーブル構造の形態とすることができる。光度区間及び温度区間が、区間の各対について、図６に大まかに示されているように、対応する数値コードを与える。
【００６７】
光センサ１０２は、たとえば、後面のＬＣＤの照明装置中に埋め込まれた光ダイオードを使用する。測定値は、関連変換器１０２−Ｎにより数値形態で与えられる。温度に関しては、スレッショルド比較器が光度区間を離散化することを可能にする。選択された温度及び光度の区間が回路１００中の対応する数値コードをポイントすることを可能にする。
【００６８】
図６において、本発明の１つの実施例が示されているが、ここでは電圧ＶＧＯＮ及びＶＧＯＦＦのレベルのみならず、対電極電圧ＶＣＥ及びガンマ基準電圧Ｖγ１〜Ｖγｚのレベルも規定される。温度区間を規定する温度測定値Ｔ、及び光度区間を規定する光度レベル測定値Ｌに基づいて、回路１００に蓄積されている対応するコードが選択される。あるいは、このコードは、測定値Ｔ及びＬから、関連スクリーンについて設定されている計算関数により計算される。このコードは、対応するアナログ電圧を供給する回路３０、３１、３２への入力として加えられる必要な種々の数値を含んでいる。
【００６９】
すでに指摘したように、スクリーンの特定の例を引くことにより説明された本発明は、より一般的にピクセルの制御のために必要な電源電圧及び基準電圧を温度の関数として、また、好ましくはトランジスタにより受け取られる光度の関数としても規定することに適用される。この原理は、他のアドレス指定方法又は別のバージョン、カラースクリーン又は白黒スクリーン及び液晶スクリーン、並びにＯＬＥＤスクリーンに適合する。一般的に、温度及び光に敏感な準安定性材料を使用する後者の場合、温度及び光の関数としての伝導性／漏洩電流及びガンマ補正について同じ問題が生じる。
【図１】
0006596423.tif 000002
【図２】
0006596423.tif 000003
【図３】
0006596423.tif 000004
【図４】
0006596423.tif 000005
【図５】
0006596423.tif 000006
【図６】
0006596423.tif 000007